(57)【特許請求の範囲】
【請求項１】
ベース板に固着された受筒に保持される軸受により回転自在に支持される駆動シャフトと、該駆動シャフトに連結され該駆動シャフトを軸として前進及び後退揺動する打球杵と、該打球杵の後退揺動に伴って弾性変形量を増加し前記打球杵を前進方向に付勢する発射バネと、前記駆動シャフトまたは打球杵に連結され前記打球杵と共回りするヒットアームと、軸方向を該ヒットアームの回動面に対してほぼ垂直にして該ヒットアームの先端に固定されたアームピンと、該アームピンに軸支されるアームローラと、モータによって回転駆動され前記アームローラに力を及ぼして前記打球杵を後退変位させる側に前記ヒットアームを揺動変位させてから該アームローラを解放する駆動カムとを備える遊技球発射装置において、
前記アームローラをローラ本体と、その外面に嵌合された表層ゴムとで構成し、
前記ローラ本体の外周に溝を設け、
前記表層ゴムに設けられた凸条を前記溝に係合させて前記表層ゴムの脱落を防止したことを特徴とする遊技球発射装置。
【請求項２】
請求項１記載の遊技球発射装置において、
前記ローラ本体の外周面と端面とのコーナー部分は面取りされ、
前記表層ゴムには前記面取り分に対応した断面三角状の凸部が設けられている
ことを特徴とする遊技球発射装置。
【発明の詳細な説明】
【０００１】
【発明の属する技術分野】
本発明は、弾球遊技機に装着される遊技球発射装置の技術分野に属している。
【０００２】
【従来の技術】
普通、パチンコ機等の弾球遊技機は遊技球を発射するための遊技球発射装置を備えている。
遊技球発射装置の構造はさまざまなものが提案され、また実用化されているが、主流となっているのは、ベース板に固着された受筒に保持される軸受により回転自在に支持される駆動シャフトと、駆動シャフトに連結され駆動シャフトを軸として前進及び後退揺動する打球杵と、打球杵の後退揺動に伴って弾性変形量を増加し打球杵を前進方向に付勢する発射バネと、駆動シャフトまたは打球杵に連結され打球杵と共回りするヒットアームと、軸方向をヒットアームの回動面に対してほぼ垂直にしてヒットアームの先端に固定されたアームピンと、アームピンに軸支されるアームローラと、モータによって回転駆動されアームローラに力を及ぼして打球杵を後退変位させる側にヒットアームを揺動変位させてからアームローラを解放する駆動カムとを備えるものである。
【０００３】
このような構成の遊技球発射装置では、モータによって駆動カムを回転駆動すると、その駆動カムがアームローラに当接して力を及ぼす。アームローラに及ぼされた力はアームピンを介してヒットアームに作用し、打球杵を後退変位させる側にヒットアームを揺動変位させる。これに伴って打球杵も後退変位し、また打球杵が後退変位した分だけ発射バネが弾性変形を増して付勢力を強める。そして、駆動カムの回転が続いて駆動カムがアームローラから離脱すると、ヒットアームすなわち打球杵を後退変位させていた力が解除されるので、打球杵は発射バネの付勢力によって急速前進し、例えば発射レールの端部に置かれた遊技球を打撃して発射する。
【０００４】
【発明が解決しようとする課題】
ところで、従来の遊技球発射装置では、モータの振動が、遊技球発射装置の各部を支持し、また弾球遊技機に取付けるための部材ともなるベース板に伝達され、共振による振動音が発生することがあった。この振動音（普通はジジジジ・・・というような音）が聞こえると遊技客が不快になるおそれがあり、その対策が求められていた。
【０００５】
従来、この振動の伝達は、ベース板に立設されてモータを支持するピン等を介してなされていると思われており、例えばピン等とモータとの間にゴムパッキンを介装する等の対策が取られていたが振動音の防止には十分ではなかった。
そのため、発明者は研究を重ね、モータを支持するピン等を介しての振動の伝達はどちらかといえば従であり、駆動カムとアームローラとの接触点を介しての振動の伝達が前述の共振音の主たる原因であることを突き止め、本発明を完成させるに至った。
【０００６】
すなわち、上述の構成の遊技球発射装置では、モータの駆動力が駆動カムとアームローラとの接触点でヒットアーム側に伝達される構成であるため、アームローラには強度と耐久性が要求され、例えば焼結金属、エンジニアリングプラスチック、ジュラコン（商品名）等が用いられていた。ところが、アームローラとしてこうした燒結金属などの硬質の材料を用いると、モータの振動がこの駆動カムとアームローラの接触点を介してきわめて効率よく伝達され（減衰せずに伝達され）、それによって例えばベース板が共振して振動音が出ているのであった。特に、ステッピングモータのように微小量の変位（ステップ）を積み重ねて回転する構造のモータでは、その微小量の変位自体が振動として伝達されてしまい、振動音の発生が著しかった。
【０００７】
本発明は、遊技球発射装置において、モータの振動に起因する振動音の発生を防止することを目的としている。
【０００８】
【課題を解決するための手段および発明の効果】
上記課題を解決するための請求項１記載の遊技球発射装置は、ベース板に固着された受筒に保持される軸受により回転自在に支持される駆動シャフトと、該駆動シャフトに連結され該駆動シャフトを軸として前進及び後退揺動する打球杵と、該打球杵の後退揺動に伴って弾性変形量を増加し前記打球杵を前進方向に付勢する発射バネと、前記駆動シャフトまたは打球杵に連結され前記打球杵と共回りするヒットアームと、軸方向を該ヒットアームの回動面に対してほぼ垂直にして該ヒットアームの先端に固定されたアームピンと、該アームピンに軸支されるアームローラと、モータによって回転駆動され前記アームローラに力を及ぼして前記打球杵を後退変位させる側に前記ヒットアームを揺動変位させてから該アームローラを解放する駆動カムとを備える遊技球発射装置において、
前記アームローラをローラ本体と、その外周に嵌合された表層ゴムとで構成し、
前記ローラ本体の外周に溝を設け、
前記表層ゴムに設けられた凸条を前記溝に係合させて前記表層ゴムの脱落を防止したことを特徴とする。
請求項１記載の遊技球発射装置は、アームローラをローラ本体と、その外周に嵌合された表層ゴムとで構成したので、モータの振動が駆動カムに及んでも、その振動はアームローラの表層ゴムによって減衰させられ、アームローラ側すなわちベース板等、モータと駆動カム以外の部材に伝達されることはなく、モータの振動との共振を原因とする騒音は生じない。
また、ローラ本体の外周に溝を設け、表層ゴムに設けられた凸条を溝に係合させて表層ゴムの脱落を防止した。
【０００９】
また請求項２記載の遊技球発射装置は、請求項１記載の遊技球発射装置において、前記ローラ本体の外周面と端面とのコーナー部分は面取りされ、前記表層ゴムには前記面取り分に対応した断面三角状の凸部が設けられていることを特徴とする。
請求項１、２記載の遊技球発射装置において、ゴム製の緩衝軸と、該緩衝軸の両端に固着された一対のボルトとを有する緩衝連結部材を用いて、前記ベース板と前記モータとを連結すれば、振動がモータからベース板に直接伝達されるのを防止し、そのような振動の伝達を原因とする共振を防止している。よって、モータの振動との共振を原因とする騒音を一層確実に防止できる。
【００１０】
【発明の実施の形態】
次に、本発明の実施例を図面を参照して説明することにより、発明の実施の形態を具体的に説明する。
【００１１】
【実施例】
図１に示すように、本実施例の遊技球発射装置１０は、金属製のベース板１２にて各部を支持する構造である。ベース板１２には、緩衝連結部材としての一対のモータ支持ピン１４が立設されている。図２に示すように、モータ支持ピン１４は、一方の面にボルト１６が固着された金属板１８の他方の面間にウレタンゴム製の緩衝軸２０をはさみ、金属板１８と緩衝軸２０とを加硫接着したものである。図１に示すように、これらモータ支持ピン１４は、一方のボルト１６をベース板１２に貫通させてナット締めにて固定されている。駆動源としてのステッピングモータ２２は、モータ支持ピン１４の他方のボルト１６をボルト孔２４に貫通させて袋ナット２６にて締め付けることで、ベース板１２に取付けられている。
【００１２】
このようにステッピングモータ２２をベース板１２取付けた際には、ステッピングモータ２２の出力軸２８に取付けられている駆動カム３０が、アームピン３１を介してヒットアーム３２に取付けられているアームローラ３４に対応する位置になる。ステッピングモータ２２が稼働して駆動カム３０が回動すると、駆動カム３０がアームローラ３４に当接してこれを押圧してヒットアーム３２と共に打球杵３６を後退側に揺動変位させ、さらに駆動カム３０が回動すると駆動カム３０がアームローラ３４から離脱して押圧力を解除するので、ヒットアーム３２および打球杵３６は前進側に復帰可能となり、後述する巻バネ９６（図１には示さない）の付勢力によって前進して、その先端の打球バネ３８にて図示しない発射レール上の遊技球を打撃することになる。
【００１３】
図３に示すように、アームピン３１は、頭３１ａ、支持軸３１ｂおよび嵌着軸３１ｃからなり、支持軸３１ｂをアームローラ３４に貫通させ、嵌着軸３１ｃはヒットアーム３２の先端に嵌着されている。従ってアームローラ３４は、頭３１ａとヒットアーム３２とによって軸方向の移動は規制されるが、支持軸３１ｂを軸として回転自在である。また、ヒットアーム３２には、後述する駆動シャフト７２を貫通させる角穴３２ａが設けられている。
【００１４】
図４に示すように、アームローラ３４は、焼結金属製のローラ本体３４ａとその外面に嵌合されたウレタンゴム製の表層ゴム３４ｂとからなっている。ローラ本体３４ａには溝３４ｃが設けられ、この溝３４ｃに表層ゴム３４ｂの凸条３４ｄが係合されており、この係合により表層ゴム３４ｂの脱落を防止している。なお、表層ゴム３４ｂの厚みは、凸条３４ｄを含んで０．８ｍｍ、他の部分は０．３ｍｍである。
【００１５】
図１に戻り、ベース板１２には、打球杵３６の前進位置を規定するとともに、打撃時の衝撃を吸収するための上ストッパゴム４０並びに下ストッパゴム４２が取付けられ、また図示しない発射レール上に遊技球を１球ずつ供給する発射球供給機構（図示しない）を駆動するためのスライダ機構４４が取付けられている。
【００１６】
図５に示すように、スライダ機構４４は、プラスチック製でベース板１２に固定される筒状のケース４６を備えている。ケース４６にはスライド孔４６ａが設けられ、そのスライド孔４６ａにプラスチック製のスライド軸４８が挿入されている。スライド軸４８は、スライド孔４６ａ内を摺動する基部４８ａ及び筒内摺動部４８ｂ、基部４８ａ側の端部に設けられたローラ軸４８ｃ、筒内摺動部４８ｂに連接する芯保持部４８ｅからなり、芯保持部４８ｅには軸方向に沿った溝４８ｆが設けられている。
【００１７】
スライド軸４８は、芯保持部４８ｅを圧縮バネ５０に挿通させた状態で、圧縮バネ５０と共にスライド孔４６ａに挿通されており、溝４８ｆにはスライド孔４６ａ内に突出する一対の突起４６ｂが挿通されている。このため、スライド軸４８は、スライド孔４６ａ内を昇降往復可能であるが、溝４８ｆに挿通された突起４６ｂによって回転は阻止される。また、突起４６ｂは圧縮バネ５０がスライド孔４６ａから抜け出すのを阻んでいる。
【００１８】
さらに、スライド孔４６ａから突出している芯保持部４８ｅの先端に設けられた孔４８ｇにはロッドピン５２の端部が嵌入され、その上方からロッドピン５２の内側を貫通する座付きネジ５４がネジ孔４８ｈに螺着されている。
一方、ローラ軸４８ｃにはローラ５６が回転自在に外嵌され、スリットワッシャ５８がローラ５６の脱落を防いでいる。
【００１９】
図１に示すように、スライダ機構４４は、ローラ５６を打球杵３６の突上部３６ａに当接しており、圧縮バネ５０はスライド軸４８を押し下げる方向に付勢している。すなわち、ローラ５６は、圧縮バネ５０の付勢力によって突上部３６ａに押し付けられていて、常に突上部３６ａに接している。
【００２０】
図６及び図７に示すように、ベース板１２には受筒６０が設けられ、受筒６０内にはリングスペーサ６２を挟んで軸受としての一対のボールベアリング６４ａ、６４ｂが挿入されている。また受筒６０には上下２箇所のスペーサ孔６０ａが設けられ、それぞれスペーサ６６が差し込まれている。スペーサ６６の厚さリングスペーサ６２の厚さと等しく、これらリングスペーサ６２とスペーサ６６とにより両ボールベアリング６４ａ、６４ｂの間隔が保持されている。また、受筒６０には保持筒６８が外嵌され、スペーサ６６の脱落を防いでいる。なお、図６に示される保持筒６８の鍔に設けられた切欠６８ａはストッパ７０を通すためのものである。
【００２１】
両ボールベアリング６４ａ、６４ｂおよびリングスペーサ６２を駆動シャフト７２が回転自在に貫通している。駆動シャフト７２の基端部７２ａおよび先端部７２ｂは一部が削ぎ落とされ、互いに平行な一対の平面が形成されている。
駆動シャフト７２に連結あるいは保持される各部について、まず基端部７２ａ側を説明する。なお、以下の説明で参照する図７は、駆動シャフト７２の周辺の構造を明瞭に示すために、上ストッパゴム４０、下ストッパゴム４２、スライダ機構４４等の図示は省略している。
【００２２】
図６及び図７に示すように、基端部７２ａにはフランジ７２ｃに接してヒットアーム３２が角穴３２ａにより外嵌されている。次に、基端部７２ａには、打球杵３６の突上部３６ａと脚３６ｂとの間に形成されたシャフト溝３６ｃが係合されている。さらに、その打球杵３６を覆うように配されたアダプタ７４が角穴７４ａにより基端部７２ａに外嵌されている。図６に示されるように、このアダプタ７４には角柱状の突起７４ｂと半月状の突起７４ｃが設けられており、角柱状の突起７４ｂはシャフト溝３６ｃに緩みなく挿通され、半月状の突起７４ｃは脚３６ｂの背面側に接し、脚３６ｂは突起７４ｂ、７４ｃに挟まれた状態となっている。また、アダプタ７４には位置決ピン７４ｄが設けられており、この位置決ピン７４ｄは打球杵３６のピン孔３６ｄに嵌合している。そして、図７に示すように、これらヒットアーム３２、打球杵３６およびアダプタ７４を、駆動シャフト７２のフランジ７２ｃとで挟み付けるようにして、ナット７６が締め付けられている。このため、ヒットアーム３２および打球杵３６は、駆動シャフト７２と共回りする。
【００２３】
また、駆動シャフト７２の貫通孔７２ｄには、図６に示されるように小判状の断面を有する摘取付部７８ａ、これとは反対側に設けられた調節カム７８ｂ、摘取付部７８ａと調節カム７８ｂとの間を連結する軸部７８ｃからなる調節シャフト７８が回転自在に貫通している（図７参照）。図７に示すように、この調節シャフト７８の摘取付部７８ａは駆動シャフト７２の基端部７２ａから突出し、バネ受８０の孔８０ａおよび圧縮コイルバネである予圧バネ８２を貫通し、さらにラチェット板８４の係合孔８４ａを貫通し、ラチェットカバー８６の摘挿通孔８６ａを貫通して調節摘８８の係合孔８８ａに係合している。
【００２４】
図６及び図７に示すように、ラチェットカバー８６の摘挿通孔８６ａの周囲には放射状の歯山からなる歯面８６ｂが設けられ、ラチェット板８４にも歯面８６ｂと対面する部分に同様の歯面８４ｃ（図６には示されない）が設けられており、互いに歯合する構造である。なお、これら歯面８４ｃ、８６ｂを形成する歯山の断面形状は山形である。また、ラチェットカバー８６の内壁に設けられた突起８６ｃはラチェット板８４の切欠部８４ｂに対応していて、突起８６ｃが切欠部８４ｂ内に納まる範囲で、ラチェットカバー８６とラチェット板８４との相対回転が可能である。
【００２５】
図７に示すように、このラチェットカバー８６は、ラチェット板８４および予圧バネ８２を収容した状態で、ラチェットカバー８６のビス孔８６ｅおよびバネ受８０のビス孔８０ｂを共通に貫き、アダプタ７４のネジ孔７４ｅに螺合するビス９０によって、アダプタ７４に取付けられている。また、調節摘８８は、軸８８ｂをラチェットカバー８６の摘挿通孔８６ａに挿通させており、ビス９２によって調節シャフト７８の摘取付部７８ａに螺着されている。なお、調節摘８８とラチェットカバー８６との間には隙間があり、調節摘８８を調節シャフト７８の軸方向に沿って移動させることができる。
【００２６】
このように組み付けられたとき、ラチェット板８４は予圧バネ８２によって付勢されてラチェットカバー８６に押し付けられ、ラチェットカバー８６の歯面８６ｂとラチェット板８４の歯面８４ｃとの歯合によりラチェットカバー８６との相対回転を阻まれており、ラチェットカバー８６とラチェット板８４は調節シャフト７８を軸として、またラチェットカバー８６が連結されている駆動シャフト７２を軸として共回りする。しかし、調節摘８８を設定以上の力で回せば、予圧バネ８２の付勢力に抗してラチェット板８４の歯面８４ｃとラチェットカバー８６の歯面８６ｂの歯合位置を変化させ、ラチェット板８４を回転させてラチェットカバー８６とラチェット板８４との相対回転位置を変えることができる。
【００２７】
次に、駆動シャフト７２の先端部７２ｂ側の構造について、図６及び図７を参照して説明する。
既に説明したとおり、駆動シャフト７２は受筒６０内のボールベアリング６４ａ、６４ｂに保持され、駆動シャフト７２の貫通孔７２ｄを調節シャフト７８が回転自在に貫通し、受筒６０には保持筒６８が外嵌されている。
【００２８】
受筒６０には、ギヤ部９４ａ、複数のバネ溝９４ｂおよびギヤ部９４ａに連続して設けられた回転規制部９４ｃを有する調整リング９４が回動自在に外嵌されている。なお、調整リング９４の回転規制部９４ｃは、図６及び図９に示されるストッパ７０に当接し、それによって図６及び図９における時計回り方向への回転を阻まれている。
【００２９】
また、受筒６０には巻バネ９６が遊嵌されており、巻バネ９６の一方の端部９６ａは図９に示されるように調整リング９４のバネ溝９４ｂの一つに係止されている。巻バネ９６の他方の端部９６ｂは、一対のナット９８によって挟圧されて駆動シャフト７２の先端部７２ｂに取付けられているトルクキャップ１００の長孔１００ａを貫通し、カム受レバー１０２のバネ孔１０２ａに貫通し、保持されている。
【００３０】
カム受レバー１０２は、軸孔１０２ｂをトルクキャップ１００の一方のビス受１００ｂに支持され、このビス受１００ｂを中心にして揺動可能である。また、カム受レバー１０２の中心部に設けられているカム受孔１０２ｃには調節シャフト７８の調節カム７８ｂが挿通されている。さらに、カム受レバー１０２は安全キャップ１０４にカバーされており、安全キャップ１０４は、トルクキャップ１００のビス受１００ｂ、１００ｃに螺合する２本のビス１０６により、トルクキャップ１００に連結されている。
【００３１】
なお、巻バネ９６は、予め基底的な捻れ変形が与えられて組み付けられており、調整リング９４に対しては回転規制部９４ｃをストッパ７０に押し付ける方向の付勢力を及ぼし、カム受レバー１０２に対してはこれと逆向きの付勢力を及ぼしている。ただし、既述したように調節摘８８を設定以上の力で回せば、ラチェット板８４を回転させてラチェットカバー８６とラチェット板８４との相対回転位置を変えることができ、それと共に図８に示されるように調節カム７８ｂにてカム受レバー１０２の揺動位置を変化させることができる。このとき、ラチェットカバー８６を、図８における時計回り方向（図８（ｃ）参照）に揺動変位させれば巻バネ９６の基底的な捻れ変形量が増加し、図８における反時計回り方向（図８（ｄ）参照）に揺動変位させれば巻バネ９６の基底的な捻れ変形量が減少する。すなわち、このような操作を行うことによって、巻バネ９６の基底的な捻れ変形量を強弱調節することができる。そして、カム受レバー１０２の揺動位置を所望の位置にして（すなわち巻バネ９６の基底的な捻れ変形量を所望の量にして）、調節摘８８に加えていた力を解除すれば、ラチェット板８４とラチェットカバー８６の歯合が復活されラチェット板８４とラチェットカバー８６の相対回転が不能になるので、カム受レバー１０２の揺動位置（巻バネ９６の基底的な捻れ変形量）はその状態で維持される。このようにして、巻バネ９６の基底的な捻れ変形量の調節を行える。
【００３２】
次に、遊技者が巻バネ９６の捻れ変形量（発射力の強弱）を調節するための機構について説明する。
図６に示すように、ベース板１２にはギヤ軸１１０が設けられ、このギヤ軸１１０には調整ギヤ１１２が回転自在に外嵌され、ギヤ軸１１０に螺合するビス１１４にて調整ギヤ１１２の脱落が防止されている。また、調整ギヤ１１２の３箇所の孔１１２ａに脚１１６ａを係合させてカップリング１１６が取付けられている。遊技球発射装置１０を弾球遊技機に装着した際には、カップリング１１６の操作軸孔１１６ｂに図示しない操作ダイヤルの操作軸が差し込まれ、遊技者が操作ダイヤルを回動操作すると調整ギヤ１１２が回動される。
【００３３】
一方、図６、図７および図９に示すように、ベース板１２には、２本のビス１１８によりガイドレール１２０が取付けられ、ガイドレール１２０とベース板１２との間にはラック部材１２２が保持されている。ラック部材１２２には、ガイドレール１２０の溝１２０ａに挿通される凸条１２２ａが設けられており、ラック部材１２２は、凸条１２２ａを溝１２０ａ内で摺動させてガイドレール１２０に沿って往復移動できる。ラック部材１２２には、第１ラック１２２ｂと第２ラック１２２ｃとの２つのラック溝が設けられており、図９に示されるように第１ラック１２２ｂは調整ギヤ１１２と歯合している。また、図７に示されるように、第２ラック１２２ｃは調整リング９４のギヤ部９４ａと歯合している。したがって、上述したように調整ギヤ１１２が回動操作されると、ラック部材１２２がガイドレール１２０に沿って往復移動し、調整リング９４が回動される。すると、巻バネ９６の捻れ変形量が変化する。
【００３４】
以上のような構成になる遊技球発射装置１０では、ステッピングモータ２２を稼働させて駆動カム３０を回動させると、駆動カム３０がアームローラ３４に当接してこれを押圧してヒットアーム３２と共に打球杵３６を後退側（図１における反時計回り方向、図６における時計回り方向）に揺動変位させる。それに伴って駆動シャフト７２が回転し、駆動シャフト７２連結されているトルクキャップ１００、安全キャップ１０４、アダプタ７４等も共回りする。駆動シャフト７２の回転は、アダプタ７４及びバネ受８０を介してラチェットカバー８６に伝達され、これを回転させる。すると、ラチェットカバー８６と歯合しているラチェット板８４が回転し、それによって調節シャフト７８も回転する。このため、カム受レバー１０２がトルクキャップ１００と共に回転し、巻バネ９６の捻れ変形量を増大させる。すなわち、打球杵３６を後退側に揺動変位させ巻バネ９６の捻れ変形量を増大させる。
【００３５】
さらに駆動カム３０が回動すると駆動カム３０がアームローラ３４から離脱して押圧力を解除するので、ヒットアーム３２および打球杵３６は前進側に復帰可能となり、駆動シャフト７２、調節シャフト７８及びこれらに連結されている各部が、巻バネ９６の反発力によって上記とは逆方向に戻り回転させられる。この戻り回転に伴う打球杵３６の前進揺動により、図示しない発射レール上の遊技球を打撃することになる。
【００３６】
このとき、遊技者が操作ダイヤルを回動操作して、調整ギヤ１１２を図９における時計回り方向に回動させると、ラック部材１２２がガイドレール１２０に沿って右方向に移動し調整リング９４が反時計回りに回動されるので、ヒットアーム３２による駆動シャフト７２の回転に伴う巻バネ９６の捻れ変形量が増加し、巻バネ９６の反発力すなわち打球杵３６の打撃力が強められる。
【００３７】
また、遊技者が操作ダイヤルを回動量を減少させる側に操作すれば（操作ダイヤルを戻せば）、上述のようにして増加させた巻バネ９６の捻れ変形量を減少させることができる。
すなわち、打球杵３６の打撃力は、（巻バネ９６の基底的な変形量）＋ヒットアーム３２の揺動変位に伴う駆動シャフト７２の回転による変形量）＋（遊技者の操作による調整リング９４の回動による変形量）に応じたものとなる。これらのうち、巻バネ９６の基底的な変形量は調節摘８８の操作によって調節できるが、これは遊技機メーカーあるいは遊技店が調節するもので、遊技者が調節するわけではない。また、駆動シャフト７２の回転による変形量はほぼ一定である。結局、遊技者は操作ダイヤルを操作して所望の発射力に調節することになる。
【００３８】
なお、遊技者が操作ダイヤルを解放すれば、巻バネ９６の反発力に抗して調整リング９４を回動させていた外力がなくなるわけで、その場合には、調整リング９４が巻バネ９６の反発力によって戻り方向に回転し、ラック部材１２２が引き戻され、調整ギヤ１１２が回転し、操作ダイヤルは操作前の状態に戻る。すなわち、操作ダイヤルを復帰させるためのバネ手段等は不要である。
【００３９】
さて、このように動作する遊技球発射装置１０は、駆動源としてのステッピングモータ２２の回転力を駆動カム３０を介してアームローラ３４に及ぼし、それによってヒットアーム３２および打球杵３６を後退揺動させ、駆動シャフト７２を回転させている。
【００４０】
従来の遊技球発射装置では、例えば焼結金属、エンジニアリングプラスチック、ジュラコン（商品名）等をアームローラに用いていたので、モータの振動が駆動カムとアームローラの接触点を介して、きわめて効率よくベース板側に伝達され、それによって例えばベース板が共振して振動音が出ていた。特に、ステッピングモータのように微小量の変位（ステップ）を積み重ねて回転する構造のモータでは、その微小量の変位自体が振動として伝達されてしまい、振動音の発生が著しかった。
【００４１】
しかし、実施例の遊技球発射装置１０のアームローラ３４は、焼結金属製のローラ本体３４ａの外面にウレタンゴム製の表層ゴム３４ｂを嵌合して、アームローラ３４の表層をゴムにしたので、ステッピングモータ２２の振動が駆動カム３０に及んでも、その振動はアームローラ３４の表層ゴム３４ｂによって減衰させられ、アームローラ３４側すなわちベース板１２等、ステッピングモータ２２と駆動カム３０以外の部材に伝達されることはなく、ステッピングモータ２２の振動との共振を原因とする騒音は生じない。ステッピングモータのように微小量の変位（ステップ）を積み重ねて回転する構造のモータであっても、その振動がベース板１２に伝達されないから、共振を原因とする騒音は生じない。
【００４２】
また、ウレタンゴム製の緩衝軸２０及び緩衝軸２０の両端に金属板１８を介して固着されたボルト１６を有するモータ支持ピン１４を用いて、ベース板１２とステッピングモータ２２とを連結したので、振動がステッピングモータ２２からベース板１２に直接伝達されるのを防止し、そのような振動の伝達を原因とする共振を防止している。よって、ステッピングモータ２２の振動との共振を原因とする騒音を一層確実に防止できる。
【００４３】
しかも、スライダ機構４４のローラ５６は、圧縮バネ５０の付勢力によって打球杵３６の突上部３６ａに押し付けられているから、打球杵３６の往復揺動に際して弾んで突上部３６ａから離脱することはない。よって、スライド軸４８が振動して騒音を発生させたり、ローラ５６と突上部３６ａとの接点で振動音が生じることもない。
【００４４】
以上、実施例に従って、本発明の実施の形態について説明したが、本発明はこのような実施例に限定されるものではなく、本発明の要旨を逸脱しない範囲でさまざまに実施できることは言うまでもない。
例えば、実施例では発射バネとして巻バネ（捻れコイルバネ）を採用しているが引っ張りコイルバネ等の他の形態のバネを使用してもよい。
【図面の簡単な説明】
【図１】  実施例の遊技球発射装置のステッピングモータ側の斜視図である。
【図２】  実施例の遊技球発射装置で用いているモータ支持ピンの斜視図である。
【図３】  実施例の遊技球発射装置におけるヒットアーム、アームローラおよびアームピンの位置関係を示す分解斜視図である。
【図４】  アームローラの内部構造を示す断面図である。
【図５】  実施例の遊技球発射装置で用いているスライダ機構の分解斜視図である。
【図６】  実施例の遊技球発射装置の打球杵に付勢力を及ぼすための構造を説明する分解斜視図である。
【図７】  実施例の遊技球発射装置の巻バネの周辺部の構造を説明する部分断面図である。
【図８】  巻バネの基底的な変形量の調節の説明図であり、図８（ａ）は調節摘付近とカム受レバー付近の部分断面図、図８（ｃ）はカム受レバーが中立位置にある時の説明図、図８（ｃ）は巻バネの基底的な変形量を増加させる方向にカム受レバーを揺動変位させた時の説明図、図８（ｄ）は巻バネの基底的な変形量を減少させる方向にカム受レバーを揺動変位させた時の説明図である。
【図９】  実施例の遊技球発射装置の巻バネ側の斜視図である。
【符号の説明】
１０…遊技球発射装置    １２…ベース板
１４…モータ支持ピン（緩衝連結部材）    １６…ボルト
１８…金属板    ２０…緩衝軸    ２２…ステッピングモータ
３０…駆動カム    ３１…アームピン    ３２…ヒットアーム
３４…アームローラ    ３４ａ…ローラ本体    ３４ｂ…表層ゴム
３６…打球杵    ３８…打球バネ    ４４…スライダ機構
６０…受筒    ６０ａ…スペーサ孔    ６２…リングスペーサ
６４ａ、６４ｂ…ボールベアリング    ６６…スペーサ    ６８…保持筒
７２…駆動シャフト    ７２ａ…基端部    ７２ｂ…先端部
７２ｃ…フランジ    ７２ｄ…貫通孔    ７４…アダプタ
７８…調節シャフト    ７８ａ…摘取付部    ７８ｂ…調節カム
７８ｃ…軸部    ８０…バネ受    ８２…予圧バネ
８４…ラチェット板    ８６…ラチェットカバー    ８８…調節摘
９４…調整リング    ９６…巻バネ（発射バネ）
１００…トルクキャップ    １０２…カム受レバー
１０４…安全キャップ    １１０…ギヤ軸    １１２…調整ギヤ
１１６…カップリング    １２０…ガイドレール    １２２…ラック部材
【図１】
0003802982.tif 000002
【図２】
0003802982.tif 000003
【図３】
0003802982.tif 000004
【図４】
0003802982.tif 000005
【図５】
0003802982.tif 000006
【図６】
0003802982.tif 000007
【図７】
0003802982.tif 000008
【図８】
0003802982.tif 000009
【図９】
0003802982.tif 000010